(57)【要約】      （修正有）【課題】携帯端末を提供する。【解決手段】携帯端末１０は、収納空間を有するケース１１と、駆動モジュールと、伸縮ブラケット１５と、撮像モジュール１７とを含む。ケース１１は、収容空間側に近接する第１面と、収容空間側から離間する第２面と、第１面から第２面まで貫通する貫通孔とを含む。駆動モジュールは、ケース１１の収容空間に収容され、第１面に近接して設けられる。伸縮ブラケット１５は、互いに貫通する２つの開口と、２つの開口を貫通する伸縮空間とを含む。伸縮ブラケット１５は、ケース１１の第２面に設けられ、かつ、開口が貫通孔の位置に対応する。撮像モジュール１７は、一端が駆動モジュールに電気的に接続され、他端が貫通孔を貫通して伸縮ブラケット１５の伸縮空間内に収容される。携帯端末１０は、撮像モジュール１７の防塵効果が向上し、携帯端末１０全体の薄型化に有利であり、操作が便利であり、構造が簡素化される。【選択図】図１
2020123948.tif 000002
【特許請求の範囲】
【請求項１】
携帯端末であって、
収容空間を有するケースと、駆動モジュールと、伸縮ブラケットと、撮像モジュールとを含み、
前記ケースは、前記収容空間側に近接する第１面と、前記収容空間側から離間する第２面と、前記第１面から前記第２面まで貫通する貫通孔とを含み、
前記駆動モジュールは、前記ケースの収容空間に収容され、前記第１面に近接して設けられ、
前記伸縮ブラケットは、互いに貫通する２つの開口と、前記２つの開口を貫通する伸縮空間とを含み、
前記伸縮ブラケットは、前記ケースの第２面に設けられ、かつ、前記開口が前記貫通孔の位置に対応し、
前記撮像モジュールは、一端が前記駆動モジュールに電気的に接続され、他端が前記貫通孔を貫通して前記伸縮ブラケットの伸縮空間内に収容されている、ことを特徴とする携帯端末。
【請求項２】
前記ケースは、側壁及び底壁を含み、
前記側壁は、前記底壁と合わせて、前記駆動モジュールを収容するための収容空間を取り囲んでおり、
前記貫通孔は、前記底壁に設けられ、前記第２表面から前記第１表面まで貫通する、ことを特徴とする請求項１に記載の携帯端末。
【請求項３】
前記伸縮ブラケットは、順に互いに接続される支持部と中空の接続部と固定部とを含み、
前記固定部は、前記ケースの第２面に固定され、
前記固定部は、前記ケースの貫通孔に対応する第１開口を含み、
前記支持部は、第２開口を含み、
前記第１開口と前記第２開口とを前記接続部の中空領域によって貫通することで、両端が開口した伸縮空間は形成される、ことを特徴とする請求項２に記載の携帯端末。
【請求項４】
前記接続部は、前記固定部と前記支持部とを弾性的かつ伸縮的に接続する、ことを特徴とする請求項３に記載の携帯端末。
【請求項５】
前記伸縮ブラケットの固定部と前記ケースの第２面とは、接着によって固定される、ことを特徴とする請求項４に記載の携帯端末。
【請求項６】
前記伸縮ブラケットの固定部と前記ケースの第２面とは、係合方式によって互いに固定される、ことを特徴とする請求項４に記載の携帯端末。
【請求項７】
前記伸縮ブラケットの固定部と前記ケースとは、射出成形モードによって一体的に成形される、ことを特徴とする請求項４に記載の携帯端末。
【請求項８】
前記伸縮ブラケットが収縮状態にあるときに、前記撮像モジュールが作動状態となり、前記伸縮ブラケットが伸長状態にあるときに、前記撮像モジュールが閉状態となる、ことを特徴とする請求項１に記載の携帯端末。
【発明の詳細な説明】
【技術分野】
【０００１】
本発明は、携帯端末技術分野に属し、特に撮像装置を有する携帯端末に関する。
【背景技術】
【０００２】
現代的な電子製品技術の発展に伴い、モバイル消費者向けの電子製品は、ますます薄くなってきている。
【０００３】
関連技術における携帯端末では、前記携帯端末の厚さをさらに低減するために、撮像モジュールの厚さをさらに小さくする必要がある。このようにすることで、携帯端末全体の厚さがより薄くなることを実現するのに寄与することが可能となる。
【０００４】
一方、関連技術における携帯端末は、異なる場合の使用需要を満たすために、一般的に、前記携帯端末を適切な角度で固定して視聴しやすいように支持するための支持ホルダが提供される。
【発明の概要】
【発明が解決しようとする課題】
【０００５】
上記２つの関連技術を組み合わせて、如何にして特別な場合の使用需要および更なる薄型化の発展傾向を満たすかという課題があり、このような課題を解決するために、新たな携帯端末を提供する必要がある。
【課題を解決するための手段】
【０００６】
上記した技術的課題を解決するために、本発明は、携帯端末を提供し、当該携帯端末は、収容空間を有するケースと、駆動モジュールと、伸縮ブラケットと、撮像モジュールとを含み、前記ケースは、前記収容空間側に近接する第１面と、前記収容空間側から離間する第２面と、前記第１面から前記第２面まで貫通する貫通孔とを含み、前記駆動モジュールは、前記ケースの収容空間に収容され、前記第１面に近接して設けられ、前記伸縮ブラケットは、互いに貫通する２つの開口と、前記２つの開口を貫通する伸縮空間とを含み、前記伸縮ブラケットは、前記ケースの第２面に設けられ、かつ、前記開口が前記貫通孔の位置に対応し、前記撮像モジュールは、一端が前記駆動モジュールに電気的に接続され、他端が前記貫通孔を貫通して前記伸縮ブラケットの伸縮空間内に収容されている。
【０００７】
好ましくは、前記ケースは、側壁及び底壁を含み、前記側壁は、前記底壁と合わせて、前記駆動モジュールを収容するための収容空間を取り囲んでおり、前記貫通孔は、前記底壁に設けられ、前記第２表面から前記第１表面まで貫通する。
【０００８】
好ましくは、前記伸縮ブラケットは、順に互いに接続される支持部と中空の接続部と固定部とを含み、前記固定部は、前記ケースの第２面に固定され、前記固定部は、前記ケースの貫通孔に対応する第１開口を含み、前記支持部は、第２開口を含み、前記第２開口と前記第１開口とを前記接続部の中空領域によって貫通することによって、両端が開口した伸縮空間は形成される。
【０００９】
好ましくは、前記接続部は、前記固定部と前記支持部とを弾性的且つ伸縮的に接続する。
【００１０】
好ましくは、前記伸縮ブラケットの固定部と前記ケースの第２面とは、接着によって固定される。
【００１１】
好ましくは、前記伸縮ブラケットの固定部と前記ケースの第２面とは、係合方式によって互いに固定される。
【００１２】
好ましくは、前記伸縮ブラケットの固定部と前記ケースとは、射出成形モードによって一体的に成形される。
【００１３】
好ましくは、前記伸縮ブラケットが収縮状態にあるときに、前記撮像モジュールが作動状態となり、前記伸縮ブラケットが伸長状態にあるときに、前記撮像モジュールが閉状態となる。
【発明の効果】
【００１４】
関連技術に比べて、本発明の携帯端末では、伸縮ブラケットが増設され、かつ、前記撮像モジュールが前記伸縮ブラケットに収容されることによって、前記携帯端末全体の厚さが撮像モジュールの厚さによる制限を受けなくなり、前記携帯端末全体の薄型化を図ることに有利となる。その一方、前記伸縮ブラケットは、前記撮像モジュールの外側に設けられることによって、撮像モジュールを環境の塵埃による干渉から効果的に保護することができ、防塵の役割を果たす。前記撮像モジュールの動作状態が伸縮ブラケットの伸長または収縮によって制御されるため、操作が便利であり、構造が簡単である。
【図面の簡単な説明】
【００１５】
本発明の実施例における技術案をより明瞭に説明するために、以下、実施例に記載された使用が必要な図面を簡単に紹介し、明らかに、以下に記載される図面は、本発明の一部の実施例に過ぎず、当業者にとって、創造的労力をかけない前提で、これらの図面から他の図面を得ることができる。
【図１】本発明に係る携帯端末の構成を概略的に示す斜視図である。
【図２】図１に示される携帯端末の概略分解斜視図である。
【図３】図１に示される伸縮ブラケットの線ＩＩＩ−ＩＩＩに沿った断面図である。
【図４】携帯端末の伸縮ブラケットの伸長状態を示す概略構成図である。
【図５】携帯端末の伸縮ブラケットの収縮状態を示す概略構成図である。
【発明を実施するための形態】
【００１６】
以下では、本発明の実施例における図面を参照しながら、本発明の実施例における技術案を明瞭に、完全に説明する。当然ながら、説明される実施例は、本発明の一部の実施例に過ぎす、全ての実施例ではない。本発明における実施例に基づき、当業者が創造的労力をかけない前提で得た全ての他の実施例は、いずれも本発明の保護範囲に含まれる。
【００１７】
図１及び図２を組み合わせて参照すると、図１は、本発明に係る携帯端末の組立構造を概略的に示す斜視図であり、図２は、図１に示される携帯端末の概略分解斜視図である。前記携帯端末１０は、携帯型の移動通信端末であり、例えば、スマートフォン、タブレットコンピュータ等であってもよい。
【００１８】
前記携帯端末１０は、収容空間１１０を有するケース１１と、駆動モジュール１３と、伸縮空間１５０を有する伸縮ブラケット１５と、撮像モジュール１７とを含む。前記駆動モジュール１３は、前記ケースの収容空間１５０に対応して収容され、前記伸縮ブラケット１５は、前記ケース１１における前記収容空間１１０から離れた外側面に固設される。前記撮像モジュール１７は、前記伸縮ブラケット１５の伸縮空間１５０に対応して収容されるとともに、前記ケース１１を貫通して前記駆動モジュール１３に電気的に接続される。
【００１９】
前記ケース１１は、携帯端末のハウジングであり、底壁１１２及び側壁１１４を含む。前記底壁１１２は、前記側壁１１４と合わせて収容空間１１０を取り囲んでいる。前記底壁１１２は、前記収容空間側に近接する面が第１面１１１であり、前記収納空間側から離間する面が第２面１１３である。前記第１面１１１および前記第２面１１３は、前記底壁１１２における２つの背向する面である。貫通孔１１５は、前記第２表面１１３から凹むように形成され、前記第１面１１１まで貫通する。
【００２０】
前記駆動モジュール１３は、前記収容空間１１０に収容され、前記撮像モジュール１７を作動させるように駆動するために前記第１表面１１１に近接して設けられている。
【００２１】
前記伸縮ブラケット１５は、順に互いに接続される支持部１５２、接続部１５４および固定部１５６を含み、前記接続部１５４は、前記支持部１５２と前記固定部１５６とを弾性的かつ伸縮的に接続する。
【００２２】
前記固定部１５６は、中空構造を呈し、第１開口１５１を取り囲むように設けられている。前記固定部１５６は、前記底壁１１２に固定接続されるとともに、前記固定部１５６の第１開口１５１は、前記底壁１１２の貫通孔１１５に対応して連通する。
【００２３】
前記接続部１５４は、同様に中空構造を呈し、その両端がそれぞれ前記固定部１５６および前記支持部１５２に接続される。ここで、中空領域は、伸縮空間１５０を形成し、前記伸縮空間１５０は、前記固定部１５６と前記支持部１５２との間の伸縮距離が変化するにつれて、前記伸縮空間の容積を変化させる。
【００２４】
前記支持部１５２は、中空構造を呈し、その端部に第２開口１５３が形成される。前記第２開口１５３は、前記伸縮空間１５０を介して前記第１開口１５１に連通する。前記支持部１５２は、外部の机の面などに直接当接して、携帯端末１０を所定の角度で固定するように支持することになる。
【００２５】
このように、前記接続部１５４は、支持部１５２と固定部１５６とを弾性的かつ伸縮的に接続し、前記ケース１の第２面１１３に設けられ、かつ、両端が開口して収容体積が調節可能な伸縮空間１５０を取り囲むように形成される。前記伸縮空間１５０の体積は、前記支持部１５２と前記固定部１５６との間の距離の変化に応じて調整される。
【００２６】
前記撮像モジュール１７は、画像やビデオの撮影を実現するファインダ装置である。前記撮像モジュール１７は、前記伸縮ブラケット１５に対応して収容されるとともに、その一端が第１開口１５１を介して前記ケース１１の貫通孔を貫通して前記駆動モジュール１３に対応して電気的に接続される。前記撮像モジュール１７は、前記伸縮ブラケット１５の第２開口１５３を介して光伝送を行うことによって、撮像を実現する。
【００２７】
図３、図４および図５を同時に参照すると、図３は、図１に示されるＩＩＩ−ＩＩＩ線に沿った側断面図である。前記携帯端末１０が組み立てられると、前記駆動モジュール１３は、前記ケース１１の収容空間１１０内に収容され、前記第１面１１１に近接して設けられる。前記伸縮ブラケット１５は、前記ケース１１の第２面１１３に設けられ、かつ、前記伸縮ブラケット１５の第１開口１５３は、前記ケース１１の貫通孔１１５に対応する。前記撮像モジュール１７は、前記伸縮ブラケット１５の伸縮空間１５０内に対応して収容されるとともに、前記第１開口１５１および貫通孔１１５を貫通してから、前記駆動モジュール１３に対応して電気的に接続される。その一方、前記撮像モジュール１７は、前記第２開口１５３を介して光伝送を行うことによって、撮像を実現する。
【００２８】
図４は、前記携帯端末の１つの動作状態を示す概略図であり、前記伸縮ブラケット１５が伸長状態にある。図５は、携帯端末の別の動作状態を示す概略図であり、前記伸縮ブラケット１５が収縮状態にある。前記携帯端末１０を机の面に支持固定する必要がある場合、前記伸縮ブラケット１５は、例えば、外力を加えて前記支持部１５２を引っ張ることにより前記接続部１５４が引っ張り状態となるような伸長状態にある。それに対応して、前記第２開口１５３と前記第１開口１５１との間の距離は大きくなり、これによって、前記撮像モジュール１７は閉状態となり、撮影機能を満たすことができない。前記携帯端末１０を支持する必要がなくなる場合、外力を加えて前記支持部１５２を押圧することにより前記接続部１５４が収縮状態となる。それに対応して、前記第２開口１５３と第１開口１５１との間の距離は小さくなり、これによって、前記撮像モジュール１７の撮像レンズは効果的に外部環境を捉えることが可能となり、撮影機能を実現できる。
【００２９】
本実施形態では、前記携帯端末１０の伸縮ブラケット１５は、接着方式によって前記ケース１１の第２表面１１３に固定されてもよく、スナップフィット方式によって前記ケース１１に取り外し可能に組み立てられてもよい。さらに、前記伸縮ブラケット１５は、射出成形モードによってケース１１と一体構造を直接に形成してもよく、当業者にとって、撮像モジュール１７を伸縮ブラケットで取り囲むことによって撮影機能のオンとオフの間の切り替えを実現する構造であれば、すべて本願の技術思想の範疇に属するものと理解されるべきである。
【００３０】
関連技術に比べて、本発明の携帯端末１０では、撮像モジュール１７が、伸縮ブラケット１５を介してケース１１に統合されるとともに、ケース１１を貫通して駆動モジュール１３に電気的に接続されることによって、前記撮像モジュールが携帯端末全体の厚さによる制限を受けなくなり、撮像モジュール１７の厚さに対する要求が低減され、前記携帯端末１０の薄型化を図ることに有利となる。その一方、前記伸縮ブラケット１５は、特定の場合に携帯端末１０を支持する必要がある要件を満たすとともに、前記撮像モジュール１７への塵埃防止の役割を果たす。前記撮像モジュール１７の動作状態の切り替えを、前記伸縮ブラケット１５の伸長状態または収縮状態の切り替えによって容易に行うことが可能となり、簡単かつ便利で、操作が容易となる。
【００３１】
上述したのは、本発明の実施形態であり、当業者にとって、本発明の創造的構想を逸脱しない前提で種々の改良も行ってもよいが、これらは、いずれも本発明の保護範囲に含まれると理解されるべきである。
【図１】
2020123948.tif 000003
【図２】
2020123948.tif 000004
【図３】
2020123948.tif 000005
【図４】
2020123948.tif 000006
【図５】
2020123948.tif 000007